(57)【要約】      （修正有）【課題】装飾的価値が極めて高いペンダントトップであって、更にこの常時身につけられるペンダントトップに楽器の調律に際しても用いることのできるペンダントトップを提供する。【解決手段】ネックレスのペンダントトップに音叉として使用できる柄部とＵ字部とからなる装飾体を用いた。極めて小型でかつ身に付けられるものであることからどこにでも持ち運べるものであって、いかなる場所においても確実に調律ができる。【選択図】図１
0003173977.tif 000002
【実用新案登録請求の範囲】
【請求項１】
ネックレスのペンダントトップに音叉を模した柄部１１とＵ字部１０とからなる装飾体１を用いたことを特徴とするペンダントトップ。
【請求項２】
ネックレスのペンダントトップに音叉を模した柄部１１とＵ字部１０とからなる装飾体１が音叉として純音を発生する装飾体であることを特徴とする請求項１記載のペンダントトップ。
【請求項３】
音叉を模した柄部１１とＵ字部１０とからなる装飾体１の柄部１１が弦楽器のテールピース部に模して構成した装飾体であることを特徴とする請求項１又は２のいずれかに記載のペンダントトップ。
【請求項４】
音叉を模した柄部１１とＵ字部１０とからなる装飾体１の柄部１１を多数のディンプル部を有する球体で構成し、Ｕ字部１０をその外側部分の両側角部に円弧状の切り欠き部を複数連設して構成した装飾体であることを特徴とする請求項１又は２のいずれかに記載のペンダントトップ。
【考案の詳細な説明】
【技術分野】
【０００１】
本考案は、音叉を模した装飾体を用いたネックレスのペンダントトップに関する。
【背景技術】
【０００２】
ネックレスは、首回りに掛ける装飾体であって、特に装飾体であるペンダントトップを有するものである。
このペンダントトップに関しては十字架やコインや指輪など様々な装飾体が用いられている。
【０００３】
例えば特開２００８-１１３９７０号や実登第３０４１３４６号或いは実登第３１３７０００号、実登第３１６６５０９号等である。
これらはすべてペンダントトップに各種の宝飾品や装飾体を用いて、その美的価値を高めるために用いるものである。
【先行技術文献】
【特許文献】
【０００４】
【特許文献１】特開２００８-１１３９７０号
【特許文献２】実登第３０４１３４６号
【特許文献３】実登第３１３７０００号
【特許文献４】実登第３１６６５０９号
【考案の概要】
【考案が解決しようとする課題】
【０００５】
以上の様に、ネックレスの装飾的価値を固めるためにペンダントトップには各種の装飾体や宝飾品が用いられてきているが、一般的には十字架やコインなどが多用されている。
或いは幾何学的な特殊形状の装飾体なども多用されている。
従って、各種の装飾的価値の高いものがペンダントトップに用いられているものである。
【０００６】
そこで、同様に装飾的価値が極めて高く、更には実用性の面をも併せ有する新規なペンダントトップを有するネックレス及び該ペンダントトップの提供を課題とする。
更にはペンダントトップ自体が実用性を有し、特に音楽例えば楽器の調律に際しても用いることのできるペンダントトップの提供を課題とする。
【課題を解決するための手段】
【０００７】
係るため、まず請求項１に係る考案はネックレスのペンダントトップに音叉を模した柄部とＵ字部とからなる装飾体を用いたペンダントトップからなり、係る構成によって前記課題を解決できる。
或いは請求項２に係る考案のように音叉を模した装飾体が音叉として純音を発生する装飾体であるペンダントトップからなり、係る構成を用いてもよい。
【０００８】
更に、請求項３に係る考案のように音叉を模した装飾体が柄部を弦楽器のテールピース部を模して構成してなる装飾体であるペンダントトップからなり、係る構成を用いても同様である。
或いは請求項４に係る考案のように音叉を模した装飾体が柄部を多数のディンプル部を有する球体から構成し、Ｕ字部をその外側部分の両側角部に円弧状の切り欠き部を複数連設して構成してなる装飾体であるペンダントトップを用いてもよい。
【考案の効果】
【０００９】
以上のように構成したことからまず請求項１に係る考案によってネックレストップに音叉を模した装飾体を用いることができるものとなり、デザイン性の高いペンダントトップの提供を可能とする。
更に請求項２に係る考案によってこのペンダントトップを音叉として用いることができるものであり、楽器の調律等ができるものである。
【００１０】
特にペンダントトップであり、極めて小型でかつ身につけられるものであることからどこにでも持ち運べるものであって、いかなる場所においても確実に調律ができることとなる極めて実用性の高い音叉の提供も可能となる。
次に請求項３に係る考案によれば、装飾体の外観を楽器をイメージさせた音叉の装飾体とでき、楽器演奏者等にとっても極めてデザイン的価値が斬新でデザイン性の高いペンダントトップの提供を可能とするものである。
【００１１】
又請求項４に係る考案によれば柄部にディンプル部を有する球体を用い、斬新なデザインを提供できると共にU字部にも装飾を加えた全体として極めてデザイン性の高い装飾体の提供を可能とする。
【図面の簡単な説明】
【００１２】
【図１】本考案に係るペンダントトップを用いたネックレスの一例を示す図
【図２】本考案に係るペンダントトップの一例を示す図
【図３】本考案に係るペンダントトップの他の一例を示す図
【図４】図３に示す本考案に係るペンダントトップを用いた他の一例を示す図
【図５】本考案に係るペンダントトップの他の一例を示す図
【図６】図５に示す本考案に係るペンダントトップを用いた他の一例を示す図
【考案を実施するための形態】
【００１３】
図１は、本発明に係るペンダントトップに音叉を模した装飾体を１用いた一例を示す図である。
本図はネックレスのペンダントトップに用いた一例を示すものである。  該ペンダントトップとして用いる音叉の装飾体１は、通常の音叉を小型にし、デザイン化して装飾体として用いるものであり、現実に音叉として純音を発生できるものであり、Ｕ字型に構成したＵ字部１０とこのＵ字部の該Ｕ字型の折り曲げ部分の頂点付近にこれに続く柄部１１及びネックレス２との連設部分例えば環状部１２等から構成されるものである。
【００１４】
このＵ字部１０の端部方向を叩いて振動させることにより純音を発生できる。
例えば楽器の調律等を可能とするものである。
このようにネックレストップに音叉を模した装飾体１を用いることにより常時身につけておけると共にデザイン的価値を極めて高いものであり、又必要時に音叉として持ちすることができるものであって極めて実用的でもある。
【００１５】
尚、ステンレススチール等の鉄製の素材からなるものであるが、例えばその他、金や銀、プラチナ等などの貴金属を用いてもよい。  図２は図１に示すペンダントトップの音叉を模した装飾体１の拡大図である。
本図に示すように音叉としてばかりでなく極めてデザイン的価値を有するものである。
【００１６】
図３は、図１及び図２に示す音叉を模した装飾体１に対して他の形状の音叉を模した装飾体の一例を示す図である。
本図のように柄部をバイオリンやチェロなどの弦楽器の弦の端を楽器に固定するための結びつける部分であるテールピース部を模した形状を有しており、又Ｕ字部の外側面部にはそれぞれ２か所ずつ突起部を有してデザイン性を高めているものである。
【００１７】
このように構成して音叉を模した装飾体を構成するが、同様に音叉としての機能をも併せ有するものである。
図３ａは正面図であり、図３ｂは側面図である。
尚、図３ｂの柄部には奥方向に突出部を有するが、この部分にはネックレスを挿通するための環状部１２等を設置するためのスペースとなる部分である。
【００１８】
図４は、図３に示す弦楽器を模してデザイン性を極めて高めた音叉を模した装飾体からなるものである。
本図に示すように極めてデザイン的な価値が高いものであると共に更には該装飾体１が音叉として機能を有するものでもある。
図５は、本考案に係るペンダントトップに用いる音叉を模した装飾体１の他の一例を示す図である。
【００１９】
本図に示すようにＵ字部１０の外側部分の両側角部には円弧状の切り欠き部を複数連設して、デザイン性を高めているものであり、更に柄部１１には外周面には多数のディンプル部を有する球体を配置しているものである。
例えばこの球体にクリスタルガラス球などを用いてもよい。
【００２０】
図６は図５に示す音叉を模した装飾体１からなるペンダントトップをネックレスに装着した一例を示す図である。
本図に示すようにきわめて斬新でデザイン性に富んだペンダントトップを提供できるものである。
【符号の説明】
【００２１】
１      装飾体
１０    Ｕ字部
１１    柄部
１２    環状部
２      ネックレス
【図１】
0003173977.tif 000003
【図２】
0003173977.tif 000004
【図３】
0003173977.tif 000005
【図４】
0003173977.tif 000006
【図５】
0003173977.tif 000007
【図６】
0003173977.tif 000008